(57)【要約】【課題】高所に取り付けられたプロジェクターにおける光源ランプの取り付け/取り外しを容易にすること。【解決手段】高所に設置した時に光源ランプの取り出し口が筐体の地面側に形成されたプロジェクターにおいて、取り出し口の縁部近傍に水平に設けられた回動支持軸と、光源ランプに設けられ回動支持軸に対し懸垂自在、回動自在、かつ着脱自在なフックと、光源ランプを取り出し口から筐体内に取り付けた状態を保持する保持手段と、を備えた。【選択図】図８
2015148667.tif 000002
【特許請求の範囲】
【請求項１】
高所に設置した時に光源ランプの取り出し口が筐体の地面側に形成されたプロジェクターにおいて、
前記取り出し口の縁部近傍に水平に設けられた回動支持軸と、
前記光源ランプに設けられ前記回動支持軸に対し懸垂自在、回動自在、かつ着脱自在なフックと、
前記光源ランプを前記取り出し口から前記筐体内に取り付けた状態を保持する保持手段と、
を備えたことを特徴とするプロジェクター。
【請求項２】
前記光源ランプを前記筐体内に取り付ける際に前記光源ランプを前記取り出し口方向に付勢する付勢手段を備えたことを特徴とする請求項１記載のプロジェクター。
【請求項３】
前記フックの先端部は、前記フックを前記回動支持軸に吊り下げたときに前記光源ランプが落下せず、懸垂自在、回動自在、かつ着脱自在となるような角度を有することを特徴とする請求項１記載のプロジェクター。
【発明の詳細な説明】
【技術分野】
【０００１】
本発明は、プロジェクターに関する。
【背景技術】
【０００２】
従来、パーソナルコンピューターやビデオカメラ等からの画像データをもとに、光源から出射される光を用いて画像形成部において投影用の画像を生成し、生成した画像をスクリーン等の被投射面に投射して表示するプロジェクターが知られている。プロジェクターにおいては、数ｍ角以上の大画面に画像を投影できること、及びプロジェクターと、被投射面との間の距離を可能な限り短くできることが望まれており、短投影距離に対応したプロジェクターが開示されている。
【０００３】
設置型の使用方法としては、天井から金具でプロジェクターを吊るす方法＜天吊り＞、短投影距離に対応したプロジェクターの場合は、スクリーン等の被投射面が設置された壁に金具を固定してプロジェクターを掛ける方法＜壁掛け＞が挙げられる（例えば、特許文献１参照。）。
【発明の概要】
【発明が解決しようとする課題】
【０００４】
ところで、特許文献１に記載の発明においては、光源ランプのプロジェクターへの取り付けは、「ランプユニット取り付けネジ」３本によって行われている。
しかしながら、天井や壁等の高所にプロジェクターを天吊りまたは壁掛けにて設置した場合の光源ランプの交換の際、３つのネジの取り付け/取り外しの作業が面倒である。
【０００５】
本発明は、上記に鑑みてなされたものであって、高所に取り付けられたプロジェクターにおける光源ランプの取り付け/取り外しを容易にすることにある。
【課題を解決するための手段】
【０００６】
上記課題を解決するため、請求項１に記載の発明は、高所に設置した時に光源ランプの取り出し口が筐体の地面側に形成されたプロジェクターにおいて、前記取り出し口の縁部近傍に水平に設けられた回動支持軸と、前記光源ランプに設けられ前記回動支持軸に対し懸垂自在、回動自在、かつ着脱自在なフックと、前記光源ランプを前記取り出し口から前記筐体内に取り付けた状態を保持する保持手段と、を備えたことを特徴とする。
【発明の効果】
【０００７】
本発明によれば、高所に取り付けられたプロジェクターにおける光源ランプの取り付け/取り外しを容易にすることができる。
【図面の簡単な説明】
【０００８】
【図１】一実施形態に係る外観斜視図である。
【図２】図１に示したプロジェクター１と被投射面としてのスクリーンとの位置関係を示す側面図である。
【図３】図１に示したプロジェクター１から上方カバー２を取り外した状態を示す斜視図である。
【図４】図１に示したプロジェクター１に用いられる光学エンジン２０の外観斜視図である。
【図５】図１に示したプロジェクター１の光学エンジン２０、及び光源ランプ３０の詳細な構成を示す断面図である。
【図６】図１に示したプロジェクター１を天井に吊り下げた状態を示す斜視図である。
【図７】図６に示したプロジェクター１から光源ランプ３０を外した状態を示すイメージである。
【図８】（ａ）は、光源ランプ３０の斜視図であり、（ｂ）は、（ａ）に示したフック５０の拡大図である。
【図９】図１に示したプロジェクター１に光源ランプ３０を取り付ける様子を示す断面図である。
【図１０】図１に示したプロジェクター１に光源ランプ３０を取り付けた状態を示す断面図である。
【発明を実施するための形態】
【０００９】
以下、本発明のプロジェクターとして具体化した実施形態について図面を用いて説明する。
図１は、一実施形態に係る外観斜視図である。図１に示す天吊り型のプロジェクター１は上方カバー２の矢印で示す取り出し方向を示すため地面側から見た状態が示されている。図２は、図１に示したプロジェクター１と被投射面としてのスクリーンとの位置関係を示す側面図である。図２に示す天吊り型のプロジェクター１をテーブル等に置いた場合を示しているが、プロジェクター１を天井から吊り下げると図２に示した状態とは上下が逆になる。図３は、図１に示したプロジェクター１から上方カバー２を取り外した状態を示す斜視図である。図３に示す光源ランプ３０等は説明の都合上地面側から見た状態が示されている。図４は、図１に示したプロジェクター１に用いられる光学エンジン２０の外観斜視図である。図４に示す光学エンジン２０は説明の都合上地面側から見た状態が示されている。
【００１０】
図１〜図４に示されるように上方カバー２には、光源ランプ３０を着脱するための開口部を覆うランプカバー４が配置されている。
プロジェクター１には投射レンズ３が設けられている。投射レンズ３は、最終的に被投影面としてのスクリーンに投影される静止映像や動画像の拡大倍率を変更するためのものである。
また、プロジェクター１の筐体を構成する本体部１０には、光学エンジン２０、及び光源ランプ３０が設けられている。
【００１１】
図５は、図１に示したプロジェクター１の光学エンジン２０、及び光源ランプ３０の詳細な構成を示す断面図である。図５に示す光源ランプ３０等は真上から見た状態を示している。
図５に示されるように、光学エンジン２０は、照明ユニット２０ａ、及び投射ユニット２０ｂを備える。投射ユニット２０ｂは、カラーホイール２５、ライトトンネル２６、リレーレンズ２７ａ、２７ｂ、平面ミラー２８、及び凹面ミラー２９を備えている。これらの各部材は、光学エンジン２０の本体部内に設けられている。また、光学エンジン２０には、画像形成部２１が設けられている。画像形成部２１は、画像を形成する画像形成素子であるＤＭＤにより構成されている。
ＤＭＤはDigital Miciromirror Device（デジタルマイクロミラーデバイス）の略であり、多数の微小鏡面を平面に配列した表示素子の一種である。
【００１２】
カラーホイール２５は円盤状に形成されており、光源ランプ３０から出射された白色光を単位時間毎にＲ（赤）Ｇ（緑）Ｂ（青）の各色が繰り返す光に変換してライトトンネル２６に向けて出射する。ライトトンネル２６は、矩形の板ガラスを張り合わせて角筒状に構成されたものであり、カラーホイール２５から出射された光をリレーレンズ２７ａ、２７ｂへと導出する。リレーレンズ２７ａ、２７ｂは、１対のレンズ部である２枚のリレーレンズ２７ａ、２７ｂを組み合わせて構成したものであり、ライトトンネル２６から出射された光の軸上色収差を補正しつつ集光する。リレーレンズ２７ａ、２７ｂは、光源ランプ３０から出射された光が画像を形成する画像形成素子へと至る光路上に位置している。平面ミラー２８、及び凹面ミラー２９は、リレーレンズ２７ａ、２７ｂにより出射される光を反射して、画像形成部２１へと案内して、集光させる。画像形成部２１は、複数のマイクロミラーからなる矩形状のミラー面を有し、映像や画像のデータに基づいて各マイクロミラーが時分割駆動されることにより、所定の画像をスクリーン上に形成するように投射光を加工して反射するＤＭＤを備えている。
【００１３】
また、光源ランプ３０は、例えば、高圧水銀ランプを用いているが、本発明はこれに限定されるものではなく、レーザダイオードを用いてもよい。光源ランプ３０は光学エンジン２０の照明ユニット２０ａに向けて白色光を照射する。照明ユニット２０ａ内においては、光源ランプ３０から照射された白色光がＲＧＢに分光され、画像形成部２１へと導出される。そして、画像形成部２１は、変調信号に応じて画像形成を行い、投射ユニット２０ｂによって形成された画像を拡大投射する。
【００１４】
また、図５で示される画像形成部２１の図中手前側となる鉛直方向上方には、画像形成部２１に入射した光のうち、投射光Ｌとしては使用しない不要な光を受光するＯＦＦ光板が設けられている。ここで、ＯＦＦ光板は、光を吸収する部材、例えば黒色塗料が塗布されたステンレス板やアルミ板等の金属板が挙げられる。
画像形成部２１に光が入射すると、ＤＭＤの機能により時分割で映像データに基づいて多数のマイクロミラーが作動する。このマイクロミラーによって投影に使用する光は投射レンズ３へと反射され、投影に使用しない不要な光はＯＦＦ光板へと反射される。画像形成部２１では、投射画像に使用する光は投射系２０ｂへと反射され、複数の投射レンズ３を通って拡大され、映像光が投射される。
【００１５】
本実施形態のプロジェクターを天吊りまたは壁掛けにて高所に設置した場合、図６、図７に示すように、ランプカバー４が筐体の地面側に位置することで下面に向くことになる。
図６は、図１に示したプロジェクター１を天井に吊り下げた状態を示す斜視図である。図７は、図６に示したプロジェクター１から光源ランプ３０を外した状態を示すイメージである。図６、図７は地面から見上げた状態を示している。
特許文献１に記載のプロジェクター１では、このような状態で光源ランプ３０を着脱しようとした時に、(1)光源ランプを支え、(2)ネジをドライバーで回し、(3)ネジを外して持つ、という３つの動作が順次発生するので、面倒である。これに対して、本発明では後述するフックの引っ掛かりにより光源ランプ３０の着脱が容易となる。
【００１６】
本実施形態では、図８（ａ）、（ｂ）に示すように、光源ランプ３０の光出射側に例えば、２箇所の逆Ｕ字形状を有する位置決め手段としてのフック５０を備えている。
図８（ａ）は、光源ランプ３０の斜視図であり、図８（ｂ）は、図８（ａ）に示したフック５０の拡大図である。図８（ａ）は斜め横から見た状態を示している。
図９は、図１に示したプロジェクター１に光源ランプ３０を取り付ける様子を示す断面図である。図１０は、図１に示したプロジェクター１に光源ランプ３０を取り付けた状態を示す断面図である。図９、１０は横から見た状態を示している。
【００１７】
また、プロジェクター１の筐体の取り出し口の縁部近傍にはフック５０が懸垂自在、回動自在、かつ着脱自在な回動支持軸５１を水平に配置した（図９、図１０）。フック５０は光源ランプ３０の取り出し口方向に開口部を有し、図９に示すように回動支持軸５１に容易に引掛けることができる。また、フック５０は、フック５０の先端部５０ａの傾斜角θの傾斜により、光源ランプ３０を回動支持軸５１に引掛けた後、持っていた手を離しても光源ランプ３０が懸垂した状態が保持されるようになっている。このため、光源ランプ３０の交換作業能率が向上する。フック５０の開口部の開口寸法は、回動支持軸５１の外径より大きいことは言うまでもない。尚、先端部５０ａの傾斜角θはフック５０が回動支持軸５１に着脱自在、懸垂自在であり、光源ランプ３０をプロジェクター１に吊り下げたときに外れないような角度であればよく、例えば数度〜十数度程度あればよい。
【００１８】
また、光源ランプ３０をプロジェクター１に取り付けた時に、光源ランプ３０を取り出し口方向に光源ランプ３０を付勢する付勢手段である押さえバネ５２を具備している。光源ランプ３０を、回動支持軸５１を中心に回動させながらプロジェクター１に押し込むことによって押さえバネ５２に反力が生じる。光源ランプ３０の光出射側とは反対側に配置された保持手段としての固定ネジ５３で光源ランプ３０をプロジェクター１に固定する。光源ランプ３０のセットが完了した時に光源ランプ３０のフック５０の底部に回転支持軸５１が押し当てられ、光源ランプ３０が所定のセット位置に固定される。光源ランプ３０の位置ズレによる輝度低下を防止することができるという効果を奏する。固定ネジ５３にはドライバー差込十字穴以外に図８に示すようにローレット加工された固定ネジ抓み部があり、ドライバーを使用しなくても手指によって抓んで回すことができる。このため、工具無しでも光源ランプ３０の着脱交換作業が可能になっている。
【００１９】
本発明によれば、プロジェクター１を高所に設置した場合、光源ランプのフックがプロジェクターの回動支持軸に回動自在に引っ掛かり、一時的に持ち手を離すことができる。また、ネジ固定時にも光源ランプ３０を支える必要が無く、光源ランプ３０の取り付け/取り外しが容易となる。また付勢手段としての押さえバネ５２により光源ランプ３０のフック５０が回動支持軸５１に付勢されるため、所定の位置に光源ランプ３０をセットすることができて、光源ランプ３０の位置ズレによる輝度低下を防止することができる。
【００２０】
尚、上述した実施の形態は、本発明の好適な実施の形態の一例を示すものであり、本発明はそれに限定されることなく、その要旨を逸脱しない範囲内において、種々変形実施が可能である。例えば、上述の説明では、回動支持軸５１が取り出し口の縁部近傍のうち光源ランプ３０の出射側の縁部に水平に設けた場合で説明したが、本発明はこれに限定されるものではなく、回動支持軸５１が光源ランプ３０の出射側の縁部に対向する縁部側に設けてもよい。この場合、破線で示す押さえバネ５２ａが用いられる。
また、上述した実施の形態では、フック５０の形状が逆Ｕ字形状の場合で説明したが、本発明はこれに限定されるものではなく、回動支持軸５１に対し懸垂自在、回動自在、かつ着脱自在であれば他の形状であってもよい。
【符号の説明】
【００２１】
１    プロジェクター
２    上方カバー
３    投射レンズ
４    ランプカバー
１０    本体部
２０ａ    照明ユニット
２０ｂ    投射ユニット
２１    画像形成部
２５    カラーホイール
２６    ライトトンネル
２７ａ、２７ｂ    リレーレンズ
２８    平面ミラー
２９    凹面ミラー
３０    光源ランプ
５０    フック
５２、５２ａ    押さえバネ
５３    固定ネジ
【先行技術文献】
【特許文献】
【００２２】
【特許文献１】特開２００９−８０２２８号公報
【図１】
2015148667.tif 000003
【図２】
2015148667.tif 000004
【図３】
2015148667.tif 000005
【図４】
2015148667.tif 000006
【図５】
2015148667.tif 000007
【図６】
2015148667.tif 000008
【図７】
2015148667.tif 000009
【図８】
2015148667.tif 000010
【図９】
2015148667.tif 000011
【図１０】
2015148667.tif 000012